(57)【要約】【課題】環状鉄芯中に設けた切欠部に磁気センサを配置する零相変流器では、他相の導体から発生する磁束の影響を受け易いために残留電流が増大して検出感度が低かった。【解決手段】電流が通流する導体の周囲を取巻く第一の環状鉄芯の外郭に、磁気センサを配置した第二の環状鉄芯を備えることで零相変流器を構成する。【選択図】        図１
2004228176.tif 000002
【特許請求の範囲】
【請求項１】
環状コアと、磁気センサとを有する零相変流器において、
径が異なる少なくとも２つの前記環状コアが、中心位置をほぼ同一にして配置され、前記環状コアのうち最内郭に位置する第一環状コアの中空部に電流を導く導体が配置され、前記第一環状コアの外側であり最外郭に位置する第二環状コアに少なくとも１つの磁気センサを位置させたことを特徴とする零相変流器。
【請求項２】
前記第二環状コアに少なくとも１箇所の切欠部を設け、前記切欠部に少なくとも１つの前記磁気センサを位置させたことを特徴とする請求項１に記載の零相変流器。
【請求項３】
前記第二環状コアに少なくとも１箇所の切断部を設け、前記切断部に少なくとも１つの前記磁気センサを位置させたことを特徴とする請求項１に記載の零相変流器。
【請求項４】
前記磁気センサは磁気インピーダンス素子であることを特徴とする請求項１ないし３のいずれかに記載の零相変流器。
【請求項５】
前記第二環状コアと、前記磁気センサとをシールド材で覆うことを特徴とする請求項１ないし３のいずれかに記載の零相変流器。
【発明の詳細な説明】
【０００１】
【発明の属する技術分野】
本発明は、送配電線路において地絡電流を検出する零相変流器に関する。
【０００２】
【従来の技術】
従来の電流トランス型零相変流器の概略構成図を図５に示す。図５において、環状鉄芯１３は、全周にわたって二次導体の出力巻線１４が巻かれている。また、環状鉄芯１３の中空部を貫通するように、それぞれＲ相、Ｓ相、Ｔ相である一次導体１ａ、１ｂ、１ｃが配置されている。環状鉄芯１３の材料には、パーマロイなどの高透磁率材料が通常使用される。しかし、電流トランス型零相変流器は、出力巻線１４を数千ターン巻き回す必要があるために、小型化に限界があるという問題があった。
【０００３】
そこで、従来の電流トランス型に代わるものとして、図６に示すように、環状鉄芯４００中に設けた切欠部５に磁気センサ２として高感度な磁気インピーダンス素子を配置するものがある（例えば、特許文献１参照）。
【０００４】
【特許文献１】
特開平１０−２３２２５９号公報  （第２−３頁、第１−２図）
【０００５】
【発明が解決しようとする課題】
このように、従来における零相変流器では、電流トランス型の場合に、出力巻線により環状鉄芯内の磁束を周回積分するので、導体の位置による出力変化が少ないといった利点を有している反面、出力巻線を巻回することによる小型化に難があった。
また、環状鉄芯中に磁気センサを配置する構成の場合は、小型化が可能な反面、磁束を周回積分できないので、導体の位置による出力変化が大きく、各導体からのアンペールの法則で発生する磁束の影響を受け易いために残留電流が増大することで検出感度が低いという問題があった。
【０００６】
この発明の目的は、送配電線路において、地絡事故が生じたり感電があった場合に流れる地絡電流の検出手段として、小型で高感度となる構造の零相変流器を提供することである。
【０００７】
【課題を解決するための手段】
上記課題を解決するために、環状コアと、磁気センサとを有する零相変流器において、
径が異なる少なくとも２つの環状コアが、中心位置をほぼ同一にして配置され、環状コアのうち最内郭に位置する第一環状コアの中空部に電流を導く導体が配置され、第一環状コアの外側であり最外郭に位置する第二環状コアに少なくとも１つの磁気センサを位置させることにする。
この際に、第二環状コアに少なくとも１箇所の切欠部を設け、切欠部に少なくとも１つの前記磁気センサを位置させることにする。
【０００８】
または、第二環状コアに少なくとも１箇所の切断部を設け、切断部に少なくとも１つの前記磁気センサを位置させることにする。
さらに、磁気センサは磁気インピーダンス素子とする。
また、第二環状コアと、前記磁気センサとをシールド材で覆うことにする。
【０００９】
【発明の実施の形態】
以下、本発明を実施例に基づき説明する。図１は、本発明の実施例に係る零相変流器の構成図である。本実施例における零相変流器は、２つの径が異なる環状鉄芯のうち、内側に第一環状鉄芯３を配置し、その外側には中心が一致するように径の大きい第二環状鉄芯４を配置する。第一環状鉄芯３の内側には、被測定電流を流すための３相の一次導体（Ｒ相、Ｓ相、Ｔ相）１ａ、１ｂ、１ｃを通しており、第二環状鉄芯４には切欠部５を設けて、切欠部５の中に磁気センサ２を配置する。
【００１０】
検出原理は、次の通りである。１次Ｒ相導体１ａ、１次Ｓ相導体１ｂ、１次Ｔ相導体１ｃに流れる電流をそれぞれＩｒ、Ｉｓ、Ｉｔとする。
地絡による漏洩電流が発生していない状態である三相平衡状態では、電流ＩｒとＩｓとＩｔの総和は常に零となり、第二環状鉄芯４内に発生する磁束は互いに打ち消し合うため、磁気センサ２には出力されない。
しかし、地絡により漏洩電流が発生した場合は、各相の電流ＩｒとＩｓとＩｔの総和は零ではなくなり、第二環状鉄芯４内には漏洩電流に応じた磁束が発生し、磁気センサ２に出力される。
【００１１】
次に、特許文献１に開示された一次導体と磁気センサを設けた鉄芯の間に環状鉄芯がない図６の従来構造と、本発明による図１に示した構造とを比較し、第一環状鉄芯３の効果について説明する。表１には、本発明による零相変流器（本発明方式）と従来の零相変流器（従来方式）とを、平衡状態における残留出力と、地絡時の漏洩電流出力とを比較した結果を示す。この比較において使用した解析モデルは、本発明方式に対するモデルを図２に、従来方式に対するモデルを図７に示した。
【００１２】
【表１】
2004228176.tif 000003
図２と図７に示した記号は、表１と同一であり、ＩＡは一次Ｒ相導体１ａに流れる電流値、Ｒｇ１は本発明のモデルにおけるＲ相導体１ａと第一環状鉄芯３との磁気抵抗、Ｒｇ２は本発明のモデルにおける第一環状鉄芯３と第二環状鉄芯４との磁気抵抗、Ｒｇ３は従来モデルにおけるＲとＲｇ２の間にある空気の磁気抵抗、Ｒｃは第二環状鉄芯４または環状鉄心４００の周回方向の磁気抵抗、Ｒｓは第一環状鉄芯３の周回方向の磁気抵抗、Ｓｃは第二環状鉄芯４の断面積である。また、残留出力は、平衡時に磁気センサ２から見た三つの導体の幾何学的な差より発生する磁束密度である。
【００１３】
漏洩電流発生時は、第一環状鉄芯３の有無に関わらず、図２の第二環状鉄芯４または図７環状鉄芯４００の磁束密度は式（１）で表される。
2004228176.tif 000004
すなわち、漏洩電流発生時の出力は、第一環状鉄芯３の磁気抵抗に関係なく、第二環状鉄芯４の磁気抵抗で決まる。
次に、残留出力に注目すると、図２に示す第一環状鉄芯３の有る場合の残留出力を式（２）で表される。
2004228176.tif 000005
また、図７に示す第一環状鉄芯が無い場合の出力を式（３）に示す。
【００１４】
2004228176.tif 000006
さらに、第一環状鉄３による磁束密度の減少率は式（４）で表せる。
2004228176.tif 000007
従って、残留出力を小さくするための条件は、式（５）となる。
2004228176.tif 000008
すなわち、式（６）で表せる。
2004228176.tif 000009
第一環状鉄芯３を挿入した場合、Ｒｇ１，Ｒｇ２が大きくなったために、残留出力が小さくなる。
比較結果は、表１に示すように、３０ｍＡの漏洩電流発生時に得られる磁気センサでの出力は、本発明方式と従来方式とで差異はない。しかし、平衡時に磁気センサ２から見た三つの導体の幾何学的な差より発生する残留出力が従来方式では約１５０倍大きくなるので、従来方式と比較して図１で示した本発明方式は、漏洩電流検出感度を約１５０倍向上することが可能となる。すなわち、従来方式では、残留出力の影響が無ければ計測が可能であるが、残留出力の影響が大きすぎて測定が困難である。これに対し、本発明では、磁気センサによる残留出力の影響を１／１５０に下げることが可能となったため、零相変流器としての検出感度が１５０倍に向上した。
【００１５】
図３は、本発明の別の実施例に係る零相変流器の構成図である。本実施例における図１との差異は、第二環状鉄芯４０を切断した切断部５０を設け、切断部５０に磁気センサ２を配置していることにある。
図４には、図１および図３における第二環状鉄芯４、４０にシールド６を用いた場合の構成例を示す。シールド６は、図４のように第二環状鉄芯４、４０の内側と外側配置しても良いし、また第二環状鉄芯４、４０の外側と、第一環状鉄芯３の外側とに配置しても良い。さらに、シールド６は、外部磁界の影響を遮蔽するために用いるため、使用環境に応じて用いても良いし、用いなくてもよい。
【００１６】
図１及び図３に示した通り、本発明による零相変流器においては、前記導体１ａ、１ｂ、１ｃに導かれた電流の漏洩電流を前記磁気センサ２で検出するが、磁気センサ２の検知磁界は数Ａ／ｍと微小であるので、ホール素子や磁気抵抗素子では検出が困難なため、高感度な磁気センサである磁気インピーダンス素子を使用することが望ましい。
【００１７】
【発明の効果】
この発明では、電流が通流する導体の周囲を取巻く第一の環状鉄芯の外郭に、磁気センサを配置した第二の環状鉄芯を備えることで零相変流器を構成したので、以下の効果が得られる。
従来の電流トランス型にように、出力巻線を数千ターン巻き回す必要がないので、小型・低コスト化が可能である。
また、センサを設けた環状鉄芯の中空部に導体を配置しただけの従来方式に比べ、３相平衡時の残留出力を大幅に低減することができるため、検出感度が向上し、実用環境下での支障となっていた測定が困難であることの問題を解決できるセンサを提供できる。
【００１８】
さらに、磁気センサに高感度な磁気インピーダンス素子を用いることで、検出感度が向上し、微弱な漏洩電流検出が可能となる。
【図面の簡単な説明】
【図１】本発明の実施例に係る零相変流器の構成図
【図２】本発明の零相変流器の解析モデル図
【図３】本発明の別の実施例に係る零相変流器の構成図
【図４】本発明の実施例に係る零相変流器のシールド構成図
【図５】従来の電流トランス型零相変流器の概略構成図
【図６】従来のセンサを設けた環状鉄芯を用いた零相変流器の構成図
【図７】従来の零相変流器の解析モデル図
【符号の説明】
１ａ：      １次（Ｒ相）導体
１ｂ：      １次（Ｓ相）導体
１ｃ：      １次（Ｔ相）導体
２：        磁気センサ
３：        第一環状鉄心
４、４０：  第二環状鉄心
５：        切欠部
５０：      切断部
【図１】
2004228176.tif 000010
【図２】
2004228176.tif 000011
【図３】
2004228176.tif 000012
【図４】
2004228176.tif 000013
【図５】
2004228176.tif 000014
【図６】
2004228176.tif 000015
【図７】
2004228176.tif 000016